【事件の表示】
　特願２０００−５２８９４９「スマートカードへの広告の伝送」拒絶査定不服審判事件〔平成１１年　７月２９日国際公開、ＷＯ９９／３８１１７、平成１４年　１月１５日国内公表、特表２００２−５０１２６３〕について、次のとおり審決する。
【結　論】
　本件審判の請求は、成り立たない。
【理　由】
第１．手続の経緯 
　本願は、平成１１年１月２７日（パリ条約による優先権主張外国庁受理１９９８年１月２７日、米国）を国際出願日とする出願であって、平成１２年７月２７日付けで国内書面の提出がなされるとともに同日付けで国際出願翻訳文の提出がなされ、平成２０年１１月２８日付けで拒絶理由通知がなされ、平成２１年３月３１日付けで手続補正がなされたが、同年１１月１９日付けで拒絶査定がなされ、これに対し、平成２２年３月１９日に審判請求がなされるとともに、同日付けで手続補正がなされたものである。そして、同年７月１６日付けで審査官から前置報告がなされ、平成２３年２月２５日付けで当審より審尋がなされ、同年６月３０日付けで回答書が提出されたものである。
　 
第２．補正の内容
　平成２２年３月１９日付けの手続補正（以下、「本件補正」という。）の内容は、
　平成２１年３月３１日付けの手続補正により補正された特許請求の範囲（以下、「補正前の特許請求の範囲」という）の記載
「【請求項１】
　携帯可能な情報の記憶を提供するチップカードであって、
　フレキシブルボディと、
　前記フレキシブルボディ内に支持され、情報を記憶するためのメモリを含む少なくとも１つの半導体チップと、
　前記半導体チップ内に記憶された情報の少なくとも一部を表示することができるディスプレイエレメントであって、前記フレキシブルボディ内に支持され、チップカードの少なくとも１つの側から見ることができるディスプレイ領域を含む前記ディスプレイエレメントと、
　ディスプレイエレメントを制御するための回路と、
を備え、
　前記チップカード及び前記ディスプレイエレメントの各々は、通常の使用、取り扱い、及び保管（例えば、ポケット、札入れ、または財布中での保管）中に受ける型及び大きさの湾曲に耐えることができ、永久的な損傷を受けたり、表示された情報が永久的に消失することはなく、
　前記チップカードが下記（１）〜（５）の曲げ処置、即ち、
（１）コンタクトを表にして、その撓みが１ｃｍとなるようにカードの長い側を１分間につき３０回の割合で湾曲させ、合計２５０回湾曲させる、
（２）コンタクトを裏にして、その撓みが１ｃｍとなるようにカードの長い側を１分間につき３０回の割合で湾曲させて、計２５０回湾曲させる、
（３）コンタクトを表にして、その撓みが０．５ｃｍとなるようにカードの短い側を１分間につき３０回の割合で湾曲させ、合計２５０回湾曲させる、
（４）コンタクトを裏にして、その撓みが０．５ｃｍとなるようにカードの短い側を１分間につき３０回の割合で湾曲させ、合計２５０回湾曲させる、
（５）カードをその短い側にねじれを適用する機械の中に置き、交互の方向に最大変位が５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができる、チップカード。
【請求項２】
　前記チップカードが下記（１）〜（５）の曲げ処置、即ち、
（１）コンタクトを表にして、その撓みが２ｃｍとなるようにカードの長い側を１分間につき３０回の割合で湾曲させ、合計２５０回湾曲させる、
（２）コンタクトを裏にして、その撓みが２ｃｍとなるようにカードの長い側を１分間につき３０回の割合で湾曲させて、計２５０回湾曲させる、
（３）コンタクトを表にして、その撓みが１ｃｍとなるようにカードの短い側を１分間につき３０回の割合で湾曲させ、合計２５０回湾曲させる、
（４）コンタクトを裏にして、その撓みが１ｃｍとなるようにカードの短い側を１分間につき３０回の割合で湾曲させ、合計２５０回湾曲させる、
（５）カードをその短い側にねじれを適用する機械の中に置き、交互の方向に最大変位が１５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができる、請求項１記載のチップカード。
【請求項３】
　ディスプレイエレメントは、ディスプレイエレメントから電源が除去された後も情報を表示し続けることができる、請求項１記載のチップカード。
【請求項４】
　前記コンタクトは、半導体チップとの伝達用にカード表面上に暴露される、請求項１記載のチップカード。
【請求項５】
　さらに、半導体チップとの伝達用に、カード内に無線通信素子を備える請求項１記載のチップカード。
【請求項６】
　さらに、半導体チップをディスプレイエレメントに接続させるための内部接続素子を備え、該内部接続素子は、通常の使用、取り扱い、及び保管（例えば、ポケット、札入れ、または財布中での保管）中に受ける型及び大きさの湾曲に耐えることができ、接続素子により提供される接続が永久的に消失することはないように構成される請求項１記載のチップカード。
【請求項７】
　さらに、半導体チップをディスプレイエレメントに接続させる内部接続素子を備え、該内部接続素子は、通常の使用、取り扱い、及び保管（例えば、ポケット、札入れ、または財布中での保管）中に受ける型及び大きさの約５０％の湾曲に耐えることができ、接続素子により提供される接続が永久的に消失することはないように構成される請求項１記載のチップカード。
【請求項８】
　フレキシブルボディは、次の可撓性材料：プラスチック、紙、強化紙、厚紙の少なくとも１つを含む請求項１記載のチップカード。
【請求項９】
　フレキシブルボディは、次の可撓性材料：ポリ塩化ビニル、ポリエステル、ＡＢＳ、及びポリカーボネートの少なくとも１つを含む請求項８記載のチップカード。
【請求項１０】
　さらに、ディスプレイエレメントを被覆する少なくとも１つの保護プラスチック製の実質的に透明な層を備える請求項１記載のチップカード。
【請求項１１】
　ディスプレイエレメントは、電源がディスプレイエレメントから除去された後も情報を表示しつづけることができ、
　フレキシブルボディは次の可撓性材料：ポリ塩化ビニル、ポリエステル、ＡＢＳ、及びポリカーボネート、紙、及び強化紙の少なくとも１つを含む請求項１記載のチップカード。
【請求項１２】
　さらに、半導体チップの他に、少なくとも１つの追加の情報記憶媒体を備える請求項１記載のチップカード。
【請求項１３】
　追加の情報記憶媒体は、少なくとも１つのバーコード記号及び磁気ストリップ素子を含む請求項１２記載のチップカード。
【請求項１４】
　さらに、カード内にコプロセッサデバイスを備える請求項１記載のチップカード。
【請求項１５】
　さらに、電源を備える請求項１記載のチップカード。
【請求項１６】
　電源は、再充電可能な電源を含む請求項１５記載のチップカード。
【請求項１７】
　さらに、電源を再充電するレギュレータと電荷制御装置を含む請求項１６記載のチップカード。
【請求項１８】
　さらに、電力出力を制御するキックスタート回路を備える請求項１５記載のチップカード。
【請求項１９】
　さらに、電源により電力供給されるスピーカを備える請求項１５記載のチップカード。
【請求項２０】
　スピーカは圧電スピーカを含む請求項１９記載のチップカード。
【請求項２１】
　さらに、電源により電力供給されるマイクロホンを含む請求項１５記載のチップカード。
【請求項２２】
　前記マイクロホンは圧電マイクロホンを含む請求項２１記載のチップカード。
【請求項２３】
　電源により、半導体チップは該半導体チップ内に記憶されている異なる部分の情報を引き出し、連続してこれらの異なる部分をディスプレイエレメント上に表示する請求項１５記載のチップカード。
【請求項２４】
　さらに、少なくとも１つの追加のディスプレイエレメントを含む請求項１記載のチップカード。
【請求項２５】
　ディスプレイエレメントは多色ディスプレイを含む請求項１記載のチップカード。
【請求項２６】
　ディスプレイは立体視効果を提供するディスプレイを含む請求項１記載のチップカード。
【請求項２７】
　ディスプレイは、バリヤストリップを組込み、立体視効果を提供する請求項２６記載のチップカード。
【請求項２８】
　少なくとも１つのマルチメディア素子が前記半導体チップに接続される、請求項１記載のチップカード。
【請求項２９】
　マルチメディア素子はスピーカを含む請求項２８記載のチップカード。
【請求項３０】
　スピーカは圧電スピーカを含む請求項２９記載のチップカード。
【請求項３１】
　マルチメディア素子はマイクロホンを含む請求項２８記載のチップカード。
【請求項３２】
　マイクロホンは圧電マイクロホンを含む請求項３１記載のチップカード。
【請求項３３】
　前記マルチメディア素子は、
　半導体チップに接続されたディスプレイと、
　時々半導体チップにディスプレイを変更させる半導体チップ命令とを備える請求項２８記載のチップカード。」（以下、この特許請求の範囲に記載された請求項を「補正前の請求項」という。）を、
　
「【請求項１】
　携帯可能な情報の記憶を提供するチップカードであって、
　フレキシブルボディと、
　前記フレキシブルボディ内に支持され、情報を記憶するためのメモリを含む少なくとも１つの半導体チップと、
　前記半導体チップ内に記憶された情報の少なくとも一部を表示することができるディスプレイエレメントであって、前記フレキシブルボディ内に支持され、チップカードの少なくとも１つの側から見ることができるディスプレイ領域を含む前記ディスプレイエレメントと、
　ディスプレイエレメントを制御するための回路と、
を備え、
　前記チップカード及び前記ディスプレイエレメントの各々は、通常の使用、取り扱い、及び保管（例えば、ポケット、札入れ、または財布中での保管）中に受ける型及び大きさの湾曲に耐えることができ、永久的な損傷を受けたり、表示された情報が永久的に消失することはなく、
　前記チップカードが下記（１）〜（５）の曲げ処置、即ち、
（１）コンタクトを表にして、その撓みが１ｃｍとなるようにカードの長い側を１分間につき３０回の割合で湾曲させ、合計２５０回湾曲させる、
（２）コンタクトを裏にして、その撓みが１ｃｍとなるようにカードの長い側を１分間につき３０回の割合で湾曲させて、計２５０回湾曲させる、
（３）コンタクトを表にして、その撓みが０．５ｃｍとなるようにカードの短い側を１分間につき３０回の割合で湾曲させ、合計２５０回湾曲させる、
（４）コンタクトを裏にして、その撓みが０．５ｃｍとなるようにカードの短い側を１分間につき３０回の割合で湾曲させ、合計２５０回湾曲させる、
（５）カードをその短い側にねじれを適用する機械の中に置き、交互の方向に最大変位が５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができ、
　更に前記チップカードは、前記フレキシブルボディに配置されたスイッチが最初に押されてから次に押されるまでの時間の間、前記ディスプレイエレメントに電力を提供するように構成されたフリップフロップからなるキックスタート回路を備える、チップカード。
【請求項２】
　前記チップカードが下記（１）〜（５）の曲げ処置、即ち、
（１）コンタクトを表にして、その撓みが２ｃｍとなるようにカードの長い側を１分間につき３０回の割合で湾曲させ、合計２５０回湾曲させる、
（２）コンタクトを裏にして、その撓みが２ｃｍとなるようにカードの長い側を１分間につき３０回の割合で湾曲させて、計２５０回湾曲させる、
（３）コンタクトを表にして、その撓みが１ｃｍとなるようにカードの短い側を１分間につき３０回の割合で湾曲させ、合計２５０回湾曲させる、
（４）コンタクトを裏にして、その撓みが１ｃｍとなるようにカードの短い側を１分間につき３０回の割合で湾曲させ、合計２５０回湾曲させる、
（５）カードをその短い側にねじれを適用する機械の中に置き、交互の方向に最大変位が１５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができる、請求項１記載のチップカード。
【請求項３】
　ディスプレイエレメントは、ディスプレイエレメントから電源が除去された後も情報を表示し続けることができる、請求項１記載のチップカード。
【請求項４】
　前記コンタクトは、半導体チップとの伝達用にカード表面上に暴露される、請求項１記載のチップカード。
【請求項５】
　さらに、半導体チップとの伝達用に、カード内に無線通信素子を備える請求項１記載のチップカード。
【請求項６】
　さらに、半導体チップをディスプレイエレメントに接続させるための内部接続素子を備え、該内部接続素子は、通常の使用、取り扱い、及び保管（例えば、ポケット、札入れ、または財布中での保管）中に受ける型及び大きさの湾曲に耐えることができ、接続素子により提供される接続が永久的に消失することはないように構成される請求項１記載のチップカード。
【請求項７】
　さらに、半導体チップをディスプレイエレメントに接続させる内部接続素子を備え、該内部接続素子は、通常の使用、取り扱い、及び保管（例えば、ポケット、札入れ、または財布中での保管）中に受ける型及び大きさの約５０％の湾曲に耐えることができ、接続素子により提供される接続が永久的に消失することはないように構成される請求項１記載のチップカード。
【請求項８】
　フレキシブルボディは、次の可撓性材料：プラスチック、紙、強化紙、厚紙の少なくとも１つを含む請求項１記載のチップカード。
【請求項９】
　フレキシブルボディは、次の可撓性材料：ポリ塩化ビニル、ポリエステル、ＡＢＳ、及びポリカーボネートの少なくとも１つを含む請求項８記載のチップカード。
【請求項１０】
　さらに、ディスプレイエレメントを被覆する少なくとも１つの保護プラスチック製の実質的に透明な層を備える請求項１記載のチップカード。
【請求項１１】
　ディスプレイエレメントは、電源がディスプレイエレメントから除去された後も情報を表示しつづけることができ、
　フレキシブルボディは次の可撓性材料：ポリ塩化ビニル、ポリエステル、ＡＢＳ、及びポリカーボネート、紙、及び強化紙の少なくとも１つを含む請求項１記載のチップカード。
【請求項１２】
　さらに、半導体チップの他に、少なくとも１つの追加の情報記憶媒体を備える請求項１記載のチップカード。
【請求項１３】
　追加の情報記憶媒体は、少なくとも１つのバーコード記号及び磁気ストリップ素子を含む請求項１２記載のチップカード。
【請求項１４】
　さらに、カード内にコプロセッサデバイスを備える請求項１記載のチップカード。
【請求項１５】
　さらに、電源を備える請求項１記載のチップカード。
【請求項１６】
　電源は、再充電可能な電源を含む請求項１５記載のチップカード。
【請求項１７】
　さらに、電源を再充電するレギュレータと電荷制御装置を含む請求項１６記載のチップカード。
【請求項１８】
　さらに、電源により電力供給されるスピーカを備える請求項１５記載のチップカード。
【請求項１９】
　スピーカは圧電スピーカを含む請求項１８記載のチップカード。
【請求項２０】
　さらに、電源により電力供給されるマイクロホンを含む請求項１５記載のチップカード。
【請求項２１】
　前記マイクロホンは圧電マイクロホンを含む請求項２０記載のチップカード。
【請求項２２】
　電源により、半導体チップは該半導体チップ内に記憶されている異なる部分の情報を引き出し、連続してこれらの異なる部分をディスプレイエレメント上に表示する請求項１５記載のチップカード。
【請求項２３】
　さらに、少なくとも１つの追加のディスプレイエレメントを含む請求項１記載のチップカード。
【請求項２４】
　ディスプレイエレメントは多色ディスプレイを含む請求項１記載のチップカード。
【請求項２５】
　ディスプレイは立体視効果を提供するディスプレイを含む請求項１記載のチップカード。
【請求項２６】
　ディスプレイは、バリヤストリップを組込み、立体視効果を提供する請求項２５記載のチップカード。
【請求項２７】
　少なくとも１つのマルチメディア素子が前記半導体チップに接続される、請求項１記載のチップカード。
【請求項２８】
　マルチメディア素子はスピーカを含む請求項２７記載のチップカード。
【請求項２９】
　スピーカは圧電スピーカを含む請求項２８記載のチップカード。
【請求項３０】
　マルチメディア素子はマイクロホンを含む請求項２７記載のチップカード。
【請求項３１】
　マイクロホンは圧電マイクロホンを含む請求項３０記載のチップカード。
【請求項３２】
　前記マルチメディア素子は、
　半導体チップに接続されたディスプレイと、
　時々半導体チップにディスプレイを変更させる半導体チップ命令とを備える請求項２７記載のチップカード。」（以下、この特許請求の範囲に記載された請求項を「補正後の請求項」という。）
　に補正するものである。
　
第３．補正の適否
１．新規事項の有無 
　本件補正は、願書に最初に添付した明細書、特許請求の範囲又は図面に記載した事項の範囲内においてなされており、特許法第１７条の２第３項の規定に適合する。
　
２．特許法第１７条の２第４項に規定する要件についての検討
　本件補正は、補正前の請求項１８を削除し、補正後の請求項１〜１７はそれぞれ、補正前の請求項１〜１７に対応し、補正後の請求項１８〜３２はそれぞれ、補正前の請求項１９〜３３に対応するものである。
　そして、補正前の請求項２に係る発明は、チップカードの耐性を確保して、ディスプレイの損傷を防止するという意図のもと、チップカードに対して、曲げやねじれがどの割合でどの程度加えられた場合にその耐性（耐曲げ性、耐ねじれ性）が適切に確保されるかを種々の所与の状況下で考慮し、その耐性を定量的に規定するものであって、そうすることで、チップカード及び前記ディスプレイエレメントの各々は、通常の使用、取り扱い、及び保管（例えば、ポケット、札入れ、または財布中での保管）中に受ける型及び大きさの湾曲に耐えることができ、永久的な損傷を受けたり、表示された情報が永久的に消失することをなくすという課題を解決するものであった。
　これに対して、補正後の請求項２に係る発明は、新たな構成要素「フレキシブルボディに配置されたスイッチが最初に押されてから次に押されるまでの時間の間、前記ディスプレイエレメントに電力を提供するように構成されたフリップフロップからなるキックスタート回路」を追加するものであって、そうすることで、チップカードのディスプレイエレメントには、スイッチが押された場合にのみ、キックスタート回路のフリップフロップを介して電力が供給され、キックスタート回路によって電力供給が遮断される間、ディスプレイエレメントにおいて無用に電力が消費されることが防止されるため、チップカードの電池を節約して電池の消耗を抑えるという新たな課題を解決するものである。
　
　そして、補正後の請求項２に係る発明の「フレキシブルボディに配置されたスイッチが最初に押されてから次に押されるまでの時間の間、前記ディスプレイエレメントに電力を提供するように構成されたフリップフロップからなるキックスタート回路」機能は、補正前の請求項２に係る発明の発明特定事項「フレキシブルボディ」、「半導体チップ」、「ディスプレイエレメント」、及び「ディスプレイエレメントを制御するための回路」を概念的に下位にしたものではない。
　さらに、補正前の請求項２に係る発明の解決しようとする課題は、チップカード及び前記ディスプレイエレメントの各々は、通常の使用、取り扱い、及び保管（例えば、ポケット、札入れ、または財布中での保管）中に受ける型及び大きさの湾曲に耐えることができ、永久的な損傷を受けたり、表示された情報が永久的に消失することをなくすことであったのに対して、補正後においては、チップカードのディスプレイエレメントには、スイッチが押された場合にのみ、キックスタート回路のフリップフロップを介して電力が供給され、キックスタート回路によって電力供給が遮断される間、ディスプレイエレメントにおいて無用に電力が消費されることが防止されるため、チップカードの電池を節約して電池の消耗を抑えることを新たに加えたものとなっている。この新たな課題は、補正前の課題（チップカード及び前記ディスプレイエレメントの各々は、通常の使用、取り扱い、及び保管（例えば、ポケット、札入れ、または財布中での保管）中に受ける型及び大きさの湾曲に耐えることができ、永久的な損傷を受けたり、表示された情報が永久的に消失することをなくすこと）を概念的に下位にしたものでも、同種のものでもないから、補正前後の発明の解決しようとする課題も同一ではない。
　　
　以上から、本件補正は、補正前の請求項２に係る発明を限定的に減縮（請求項に記載した発明を特定するために必要な事項を限定するものであって、その補正前の当該請求項に記載された発明とその補正後の請求項に記載された発明の産業上の利用分野及び解決しようとする課題が同一であるもの）することを目的としたものではない。
　また、前記補正前の請求項２に係る補正は、請求項の削除、誤記の訂正又は不明りょうな記載の釈明（拒絶理由通知に係る拒絶の理由に示す事項についてするものに限る。）のいずれをも目的としたものではない。
　
　以上のように、本件補正は、平成１８年法律第５５号改正附則第３条第１項によりなお従前の例によるとされる同法による改正前の特許法第１７条の２第４項の規定に違反するものである。 
  
３．むすび 
　以上のとおり、本件補正は、上記「第３．補正の適否」の「２．特許法第１７条の２第４項に規定する要件についての検討」で指摘したように、平成１８年法律第５５号改正附則第３条第１項によりなお従前の例によるとされる同法による改正前の特許法第１７条の２第４項の規定に違反するものであり、特許法第１５９条第１項で読み替えて準用する同法第５３条第１項の規定により却下されるべきものである。
　
第４．本願発明について
１．本願発明
　平成２２年３月１９日付けの手続補正は上記のとおり却下されたので、本願の特許請求の範囲の請求項２に係る発明（以下、同項記載の発明を「本願発明」という。）は、平成２１年３月３１日付けの手続補正により補正された特許請求の範囲の請求項２に記載されたものであって、その内容は、実質的に以下のとおりのものと認められる。 
　
　「携帯可能な情報の記憶を提供するチップカードであって、
　フレキシブルボディと、
　前記フレキシブルボディ内に支持され、情報を記憶するためのメモリを含む少なくとも１つの半導体チップと、
　前記半導体チップ内に記憶された情報の少なくとも一部を表示することができるディスプレイエレメントであって、前記フレキシブルボディ内に支持され、チップカードの少なくとも１つの側から見ることができるディスプレイ領域を含む前記ディスプレイエレメントと、
　ディスプレイエレメントを制御するための回路と、
を備え、
　前記チップカード及び前記ディスプレイエレメントの各々は、通常の使用、取り扱い、及び保管（例えば、ポケット、札入れ、または財布中での保管）中に受ける型及び大きさの湾曲に耐えることができ、永久的な損傷を受けたり、表示された情報が永久的に消失することはなく、
　前記チップカードが下記（１）〜（５）の曲げ処置、即ち、
（１）コンタクトを表にして、その撓みが１ｃｍとなるようにカードの長い側を１分間につき３０回の割合で湾曲させ、合計２５０回湾曲させる、
（２）コンタクトを裏にして、その撓みが１ｃｍとなるようにカードの長い側を１分間につき３０回の割合で湾曲させて、計２５０回湾曲させる、
（３）コンタクトを表にして、その撓みが０．５ｃｍとなるようにカードの短い側を１分間につき３０回の割合で湾曲させ、合計２５０回湾曲させる、
（４）コンタクトを裏にして、その撓みが０．５ｃｍとなるようにカードの短い側を１分間につき３０回の割合で湾曲させ、合計２５０回湾曲させる、
（５）カードをその短い側にねじれを適用する機械の中に置き、交互の方向に最大変位が５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができる、チップカード」であって、
　さらに、「前記チップカードが下記（１）〜（５）の曲げ処置、即ち、
（１）コンタクトを表にして、その撓みが２ｃｍとなるようにカードの長い側を１分間につき３０回の割合で湾曲させ、合計２５０回湾曲させる、
（２）コンタクトを裏にして、その撓みが２ｃｍとなるようにカードの長い側を１分間につき３０回の割合で湾曲させて、計２５０回湾曲させる、
（３）コンタクトを表にして、その撓みが１ｃｍとなるようにカードの短い側を１分間につき３０回の割合で湾曲させ、合計２５０回湾曲させる、
（４）コンタクトを裏にして、その撓みが１ｃｍとなるようにカードの短い側を１分間につき３０回の割合で湾曲させ、合計２５０回湾曲させる、
（５）カードをその短い側にねじれを適用する機械の中に置き、交互の方向に最大変位が１５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができる、」「チップカード。」
　
（１）引用文献 
（１−１）原査定の拒絶の理由に引用された特開平８−１９７８７８号公報（以下、「引用文献１」という。）には、図面とともに次の事項が記載されている。
　
（ア）「(57)【要約】
【目的】　耐曲げ性を備え、破損や折損を生じ難くすることのできるＩＣカードを提供する。
【構成】　カード形で可撓性を有する絶縁性の本体フレーム８にＩＣ等の部品を内蔵させたＩＣカードにあって、長辺及び短辺の各々に平行させて十字形に直線状の溝１０の各々が縦、横の中心部を通るように形成する。かつ、本体フレーム８に搭載するＩＣを含む脆性部品は、溝１０の形成位置を避けて実装する。これにより、外部からの曲げ応力がＩＣを含む脆性部品に加わるのを防止でき、その破損等を無くすことができる。」
　
（イ）「【０００６】このような要求に応じることのできるＩＣカードとして、図８に示す多機能ＩＣカードがある。多機能ＩＣカード３は、ＣＰＵ及びメモリから成るＬＳＩ１のほか、カード表面には、処理状況や入力状態を表示するための液晶表示器４、各種の入力を行うためのスイッチキー（キーボード）５、電源となる太陽電池６、外部接続用端子７の各々を内蔵している。このほか、表示制御・駆動部、インターフェース回路、水晶発振子等が内蔵されているが、ここでは図示を省略している。なお、多機能ＩＣカード３における各部材のパッケージングは、図７のＩＣカードの場合と同一である。
【０００７】この多機能ＩＣカード３が銀行用である場合について説明すると、カード保持者が暗証番号と取引金額をスイッチキー５から入力すると、液晶表示器４には本人確認、口座の残高確認、取引金額等が表示される。取引日や取引金額の履歴はＬＳＩ１内のメモリに残され、カード保持者によって確認することもできる。また、暗証番号の変更もカード保持者により行うことができる。
【０００８】
【発明が解決しようとする課題】しかし、上記したようなＩＣカード（多機能ＩＣカードを含む）は、１〜２ｍｍ程度の厚みであり、また、硬質の構造に作られているため、カード保持者の取り扱い方や保持方法が悪いと、図９に示すようにカードに曲げ応力が加わることになる。この結果、最悪の場合、カードを折損させ、内部の部品や配線を壊し、また、表面に設けられている液晶表示器や太陽電池を折損させるという問題がある。
【０００９】本発明は、耐曲げ性を備え、破損や折損を生じ難くすることのできるＩＣカードを提供することを目的としている。
【００１０】
【課題を解決するための手段】上記の目的を達成するために、この発明は、カード形で可撓性を有する絶縁性のフレーム部にＩＣ等の部品を内蔵させたＩＣカードにおいて、少なくとも長辺に平行させて少なくとも１本の直線溝を前記フレーム部の中心部に形成すると共に、この溝位置を避けて前記フレーム部に前記ＩＣを含む脆性部品を搭載するようにしている。」
　
（ウ）「【００１３】また、ＩＣ等の部品を基板に実装し、これをカード形で可撓性を有する絶縁性のフレーム部に搭載したＩＣカードにおいて、前記少なくとも長辺に平行させて少なくとも１本の直線溝を前記フレーム部の中心部に形成すると共に前記直線溝に重ねて前記基板上に直線溝を形成し、かつ、前記各溝位置を避けて前記フレーム部及び前記基板に前記ＩＣを含む脆性部品を搭載している。
【００１４】
【作用】上記した手段によれば、カードの基体となるフレーム部にあって、ＩＣを含む脆性部品を避けて設けられた直線溝は、外部から曲げ応力が付与されたとき、直線溝部分に応力を集中させることができ、他の部分や脆性部品に曲げ応力は加わらず、脆性部品に破損等を生じさせることがない。
【００１５】直線溝は長辺に沿った１本でも効果は現れるが、十字形に設けることによって、短辺方向からの曲げ応力に対しても線状に応力を集中させることができ、カードの縦、横いずれの方向からの曲げに対しても脆性部品を保護することができ、信頼性を向上させることができる。」
　
（エ）「【００２２】更に、本体フレーム８には、ＬＳＩ１、液晶表示器４、太陽電池６等の搭載部品の全てを収納するための複数の凹部１１が、溝１０によって区分される如くに設けられている。凹部１１の各々は、各部品の表面レベルが本体フレーム８の表面と同一平面になるように、収納する部品の高さに応じた深さに作られる（図２及び図３）。また、凹部１１の相互間には配線パターンが形成され、ＬＳＩ１、液晶表示器４、太陽電池６等の各部品をフラットパッケージ形やＰＬＣＣ等にすれば、容易に電極と配線パターンを接続することができる。
【００２３】　・・・（中略）・・・
【００２４】以上のように、本体フレーム８に溝１０を設けたことにより、その部分は他の部分に比べて曲げ易くなっている。例えば、図５のように曲げ応力が加わった場合、溝１０の部分（すなわち薄肉部分）が大きく変形し、溝１０以外の部分では撓みが生じない。つまり、ＬＳＩ１、液晶表示器４、太陽電池６等の脆弱な部品に対して曲げ応力は発生せず、配線の断線や部品の破壊（クラック等）を招くことがない。
【００２５】〔実施例２〕上記実施例においては、溝１０内は空洞であるとしたが、溝１０内に高弾性材料を注入し、或いはディスペンス、印刷等の方法で充填させて硬化させることができる。高弾性材料としては、例えば、液状のシリコン樹脂、天然ゴム、合成ゴム等、本体フレーム８の材質よりもヤング率が小さい材料が適している。このような構成によっても、ＬＳＩ１、液晶表示器４、太陽電池６等の各部品に曲げ応力を及ぼすことがなく、図５のように溝１０部分からのみ曲げを生じさせることができる。しかも、高弾性材料が溝１０の両側を押し広げるように機能するため、ＩＣカードは迅速に通常状態に復元する。」
　
　ここで、（ア）における記載「【目的】　耐曲げ性を備え、破損や折損を生じ難くすることのできるＩＣカードを提供する。」及び（イ）の段落【０００７】における記載「この多機能ＩＣカード３が銀行用である場合について説明すると、カード保持者が暗証番号と取引金額をスイッチキー５から入力すると、液晶表示器４には本人確認、口座の残高確認、取引金額等が表示される。取引日や取引金額の履歴はＬＳＩ１内のメモリに残され、カード保持者によって確認することもできる。また、暗証番号の変更もカード保持者により行うことができる。」から、引用文献１には、携帯可能な情報の記憶を提供するＩＣカードが記載されている。
　（イ）の段落【００１０】における記載「この発明は、カード形で可撓性を有する絶縁性のフレーム部にＩＣ等の部品を内蔵させたＩＣカードにおいて、…」から、前記ＩＣカードは、可撓性を有する絶縁性のフレーム部を備えると解される。
　（イ）の段落【０００６】における記載「多機能ＩＣカード３は、ＣＰＵ及びメモリから成るＬＳＩ１のほか、カード表面には、処理状況や入力状態を表示するための液晶表示器４、各種の入力を行うためのスイッチキー（キーボード）５、電源となる太陽電池６、外部接続用端子７の各々を内蔵している。」、（イ）の段落【０００７】における記載「カード保持者が暗証番号と取引金額をスイッチキー５から入力すると、液晶表示器４には本人確認、口座の残高確認、取引金額等が表示される。取引日や取引金額の履歴はＬＳＩ１内のメモリに残され、カード保持者によって確認することもできる。」、及び（エ）の段落【００２２】における記載「本体フレーム８には、ＬＳＩ１、液晶表示器４、太陽電池６等の搭載部品の全てを収納するための複数の凹部１１が、溝１０によって区分される如くに設けられている。凹部１１の各々は、各部品の表面レベルが本体フレーム８の表面と同一平面になるように、収納する部品の高さに応じた深さに作られる（図２及び図３）。」から、前記ＩＣカードは、前記可撓性を有する絶縁性のフレーム部内に支持され、情報を記憶するためのメモリを含む少なくとも１つのＬＳＩと、前記ＬＳＩ内に記憶された情報の少なくとも一部を表示することができる液晶表示器であって、前記絶縁性のフレーム部内に支持され、ＩＣカードの少なくとも１つの側から見ることができる前記液晶表示器と、を備えると解される。
　なお、液晶表示器がディスプレイ領域を含むことは当業者にとって自明である。
　（イ）の段落【０００６】における記載「多機能ＩＣカード３は、ＣＰＵ及びメモリから成るＬＳＩ１のほか、カード表面には、処理状況や入力状態を表示するための液晶表示器４、各種の入力を行うためのスイッチキー（キーボード）５、電源となる太陽電池６、外部接続用端子７の各々を内蔵している。このほか、表示制御・駆動部、インターフェース回路、水晶発振子等が内蔵されている…」からすると、前記ＩＣカードは、表示制御・駆動部を備えると解される。
　なお、前記表示制御・駆動部が液晶表示器を制御するための部材であることは、当業者にとって自明である。
　（イ）の段落【０００８】における記載「上記したようなＩＣカード（多機能ＩＣカードを含む）は、１〜２ｍｍ程度の厚みであり、また、硬質の構造に作られているため、カード保持者の取り扱い方や保持方法が悪いと、図９に示すようにカードに曲げ応力が加わることになる。この結果、最悪の場合、カードを折損させ、内部の部品や配線を壊し、また、表面に設けられている液晶表示器や太陽電池を折損させるという問題がある。」、（イ）の段落【０００９】における記載「本発明は、耐曲げ性を備え、破損や折損を生じ難くすることのできるＩＣカードを提供することを目的としている。」、（ウ）の段落【００１４】における記載「ＩＣを含む脆性部品を避けて設けられた直線溝は、外部から曲げ応力が付与されたとき、直線溝部分に応力を集中させることができ、他の部分や脆性部品に曲げ応力は加わらず、脆性部品に破損等を生じさせることがない。」、（ウ）の段落【００１５】における記載「十字形に設けることによって、短辺方向からの曲げ応力に対しても線状に応力を集中させることができ、カードの縦、横いずれの方向からの曲げに対しても脆性部品を保護することができ、信頼性を向上させることができる。」、（エ）の段落【００２４】における記載「ＬＳＩ１、液晶表示器４、太陽電池６等の脆弱な部品に対して曲げ応力は発生せず、配線の断線や部品の破壊（クラック等）を招くことがない。」からすると、前記ＩＣカード及び前記液晶表示器の各々は、通常の取り扱い時や保持時に受ける曲げ応力に耐えることができ、内部の部品や配線、液晶表示器の破損や折損を受けることはないと解される。
　なお、前記液晶表示器に表示された情報が永久的に消失することもないことは、当業者にとって自明である。
　
　よって、（ア）〜（エ）における記載及びその関連する図面からすると、引用文献１には、以下の発明（以下「引用発明」という）が記載されていると認められる。
　
　携帯可能な情報の記憶を提供するＩＣカードであって、
　可撓性を有する絶縁性のフレーム部と、
　前記可撓性を有する絶縁性のフレーム部内に支持され、情報を記憶するためのメモリを含む少なくとも１つのＬＳＩと、
　前記ＬＳＩ内に記憶された情報の少なくとも一部を表示することができる液晶表示器であって、前記絶縁性のフレーム部内に支持され、ＩＣカードの少なくとも１つの側から見ることができるディスプレイ領域を含む前記液晶表示器と、
　液晶表示器を制御するための表示制御・駆動部と、
を備え、
　前記ＩＣカード及び前記液晶表示器の各々は、通常の取り扱い時や保持時に受ける曲げ応力に耐えることができ、内部の部品や配線、液晶表示器の破損や折損を受けたり、表示された情報が永久的に消失することはない、ＩＣカード。
　
（１−２）原査定に引用された、当業者にとって周知のＩＳＯ７８１６−１ First edition 1987-07-01（Identification cards _ Integrated circuit(s) cards with contacts _ Part 1: Phisical characteristics) （以下「引用文献２」という。）には、以下の事項（以下「周知の国際標準」という）が記載されている。
　
「4  Physical characteristics
　…
NOTE - Specific test methods applicable to several of these characteristics are described in the annex  which forms part of this International Standard.」（２頁）
（和訳：４．物理的特性
　…
注意−　これらの特性のいくつかに適用可能な特別なテスト方法は付録に記載され、国際標準の部分を構成する。）
 
「Annex
Test methods
(This annex forms part of this standard.)
　…
A.1 Bending properties
A.1.1 Procedure
… bend 
   a) the long side :
       - deflection (f) : 2 cm;
       - periodicity: 30 bendings per minute;
   b) the short side :
       - deflection (f) : 1 cm;
       - periodicity: 30 bendings per minute.
Check the functioning of the card in the writing or reading mode every 125 bendings.
Recommended test duration: at least 250 passes in each of the four test orientations.
 …
A.1.2 Criteria for acceptability
The card shall still function and shall not show any cracked part after 1 000 bendings.」（４頁）
（和訳：付録
　テスト方法
（この付録は、標準の部分を構成する。）
　…
Ａ．１曲げ特性
Ａ．１．１プロシジャ
　曲げ処置
ａ）カードの長い側：
　−　撓み（ｆ）：２ｃｍ
　−　周期：１分間に３０回の湾曲
ｂ）カードの短い側：
　−　撓み（ｆ）：１ｃｍ
　−　周期：１分間に３０回の湾曲
毎１２５回の割合で読み書きモードにおけるカード機能のチェックする。
推奨されるテスト期間：４つの向きのそれぞれにおいて少なくとも２５０回湾曲させること。
　…
Ａ．１．２　容認可能性の基準
　１０００回湾曲させた後、カードが正常に機能し、いかなる損傷も生じないこと。）
　
「A.2 Torsion properties
A.2.1 Procedure
Place the card in a machine which applies torsion to its short sides, the maximum displacement being  through 15° ± 1° in alternate directions at a rate of 30 torsions per minute. Check the correct  functioning of the card in the writing and/or reading mode (as appropriate) every 125 torsions.
 …
A.2.2 Criteria for acceptability
The card shall still function and shall not show any cracked part after 1 000 torsions.」（４〜５頁）
（和訳：４．２　ねじれ特性
Ａ．２．１処理
カードをその短い側にねじれを適用する機械の中に置き、交互の方向に最大変位が１５°　±１°となるように１分間に３０回の割合でねじれを加える。毎１２５回のねじれ毎に読み書きモードにおけるカード機能をチェックする。
　…
Ａ．２．２　容認可能性の基準
　１０００回ねじれを加えた後、カードが正常に機能し、いかなる損傷も生じないこと。）
　
（２）対比
　ここで、本願発明と引用発明とを比較する。
　引用発明の「ＩＣカード」、「可撓性を有する絶縁性のフレーム部」、「ＬＳＩ」、「液晶表示器」、及び「液晶表示器を制御するための表示制御・駆動部」は、それぞれ、本願発明の「チップカード」、「フレキシブルボディ」、「半導体チップ」、「ディスプレイエレメント」、及び「ディスプレイエレメントを制御するための回路」に相当する。
　引用発明の「通常の取り扱い時や保持時に受ける曲げ応力」及び「内部の部品や配線、液晶表示器の破損や折損」は、それぞれ、本願発明の「通常の使用、取り扱い、及び保管（例えば、ポケット、札入れ、または財布中での保管中に受ける型及び大きさの湾曲」及び「永久的な損傷」に相当する。
　
　よって、本願発明と引用発明とは、以下の点で一致し、また、相違している。
　 
（一致点） 
　携帯可能な情報の記憶を提供するチップカードであって、
　フレキシブルボディと、
　前記フレキシブルボディ内に支持され、情報を記憶するためのメモリを含む少なくとも１つの半導体チップと、
　前記半導体チップ内に記憶された情報の少なくとも一部を表示することができるディスプレイエレメントであって、前記フレキシブルボディ内に支持され、チップカードの少なくとも１つの側から見ることができるディスプレイ領域を含む前記ディスプレイエレメントと、
　ディスプレイエレメントを制御するための回路と、
を備え、
　前記チップカード及び前記ディスプレイエレメントの各々は、通常の使用、取り扱い、及び保管（例えば、ポケット、札入れ、または財布中での保管）中に受ける型及び大きさの湾曲に耐えることができ、永久的な損傷を受けたり、表示された情報が永久的に消失することはない、チップカード。
　
（相違点）
　本願発明の「チップカード」は、
「下記（１）〜（５）の曲げ処置、即ち、
（１）コンタクトを表にして、その撓みが１ｃｍとなるようにカードの長い側を１分間につき３０回の割合で湾曲させ、合計２５０回湾曲させる、
（２）コンタクトを裏にして、その撓みが１ｃｍとなるようにカードの長い側を１分間につき３０回の割合で湾曲させて、計２５０回湾曲させる、
（３）コンタクトを表にして、その撓みが０．５ｃｍとなるようにカードの短い側を１分間につき３０回の割合で湾曲させ、合計２５０回湾曲させる、
（４）コンタクトを裏にして、その撓みが０．５ｃｍとなるようにカードの短い側を１分間につき３０回の割合で湾曲させ、合計２５０回湾曲させる、
（５）カードをその短い側にねじれを適用する機械の中に置き、交互の方向に最大変位が５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができるものであって、
　さらに下記（１）〜（５）の曲げ処置、即ち、
（１）コンタクトを表にして、その撓みが２ｃｍとなるようにカードの長い側を１分間につき３０回の割合で湾曲させ、合計２５０回湾曲させる、
（２）コンタクトを裏にして、その撓みが２ｃｍとなるようにカードの長い側を１分間につき３０回の割合で湾曲させて、計２５０回湾曲させる、
（３）コンタクトを表にして、その撓みが１ｃｍとなるようにカードの短い側を１分間につき３０回の割合で湾曲させ、合計２５０回湾曲させる、
（４）コンタクトを裏にして、その撓みが１ｃｍとなるようにカードの短い側を１分間につき３０回の割合で湾曲させ、合計２５０回湾曲させる、
（５）カードをその短い側にねじれを適用する機械の中に置き、交互の方向に最大変位が１５°（±１°）となるように１分間につき３０回の割合でねじれを加え、合計１，０００回ねじれを加える、
の曲げ処置に耐える場合、前記ディスプレイエレメントが永久的な損傷を受けることなく、前記ディスプレイエレメントを支持する前記チップカードを湾曲させることができる」ものであるのに対して、引用発明の「ＩＣカード」が、
「下記（１）〜（５）の曲げ処置、即ち、
（１）コンタクトを表にして、その撓みが１ｃｍとなるようにカードの長い側を１分間につき３０回の割合で湾曲させ、合計２５０回湾曲させる、
（２）コンタクトを裏にして、その撓みが１ｃｍとなるようにカードの長い側を１分間につき３０回の割合で湾曲させて、計２５０回湾曲させる、
（３）コンタクトを表にして、その撓みが０．５ｃｍとなるようにカードの短い側を１分間につき３０回の割合で湾曲させ、合計２５０回湾曲させる、
（４）コンタクトを裏にして、その撓みが０．５ｃｍとなるようにカードの短い側を１分間につき３０回の割合で湾曲させ、合計２５０回湾曲させる、
（５）カードをその短い側にねじれを適用する機械の中に置き、交互の方向に最大変位が５°（±１°）となるように１分間につき３０回の割合でねじれを加え、合計１，０００回ねじれを加える、
の曲げ処置に耐える場合、前記液晶表示器が永久的な損傷を受けることなく、前記液晶表示器を支持する前記ＩＣカードを湾曲させることができるものであって、
　さらに下記（１）〜（５）の曲げ処置、即ち、
（１）コンタクトを表にして、その撓みが２ｃｍとなるようにカードの長い側を１分間につき３０回の割合で湾曲させ、合計２５０回湾曲させる、
（２）コンタクトを裏にして、その撓みが２ｃｍとなるようにカードの長い側を１分間につき３０回の割合で湾曲させて、計２５０回湾曲させる、
（３）コンタクトを表にして、その撓みが１ｃｍとなるようにカードの短い側を１分間につき３０回の割合で湾曲させ、合計２５０回湾曲させる、
（４）コンタクトを裏にして、その撓みが１ｃｍとなるようにカードの短い側を１分間につき３０回の割合で湾曲させ、合計２５０回湾曲させる、
（５）カードをその短い側にねじれを適用する機械の中に置き、交互の方向に最大変位が１５°（±１°）となるように１分間につき３０回の割合でねじれを加え、合計１，０００回ねじれを加える、
の曲げ処置に耐える場合、前記液晶表示器が永久的な損傷を受けることなく、前記液晶表示器を支持する前記ＩＣカードを湾曲させることができる」ものであるか、どうか不明な点。
　
（３）判断
（相違点について）
　ＩＳＯ７８１６−１は、ＩＣカードの物理的な特性の国際標準を記載したものであるから、引用発明の「通常の取り扱い時や保持時に受ける曲げ応力に耐える」ＩＣカードとして、上記ＩＳＯ７８１６−１に開示されている、当業者に周知の曲げテスト方法及びねじれテスト方法に耐える特性を備えるように構成すること（すなわち、
（１）コンタクトを表にして、その撓みが２ｃｍとなるようにカードの長い側を１分間につき３０回の割合で湾曲させ、合計２５０回湾曲させる、
（２）コンタクトを裏にして、その撓みが２ｃｍとなるようにカードの長い側を１分間につき３０回の割合で湾曲させて、計２５０回湾曲させる、
（３）コンタクトを表にして、その撓みが１ｃｍとなるようにカードの短い側を１分間につき３０回の割合で湾曲させ、合計２５０回湾曲させる、
（４）コンタクトを裏にして、その撓みが１ｃｍとなるようにカードの短い側を１分間につき３０回の割合で湾曲させ、合計２５０回湾曲させる、
（５）カードをその短い側にねじれを適用する機械の中に置き、交互の方向に最大変位が１５°（±１°）となるように１分間につき３０回の割合でねじれを加え、合計１，０００回ねじれを加える、
の曲げ処置に耐える場合、前記液晶表示器が永久的な損傷を受けることなく、前記液晶表示器を支持する前記ＩＣカードを湾曲させることができるように構成すること）は、当業者であれば適宜考慮し得たことである。
　そして、その際に上記ＩＳＯ７８１６−１に開示されている曲げテスト方法及びねじれテスト方法に耐える特性を備えるように構成されたＩＣカードが、上記ＩＳＯ７８１６−１に開示された曲げ処理の半分（約５０％）の曲げ処置が施された曲げテスト及びねじれテストに耐えること（すなわち、
（１）コンタクトを表にして、その撓みが１ｃｍとなるようにカードの長い側を１分間につき３０回の割合で湾曲させ、合計２５０回湾曲させる、
（２）コンタクトを裏にして、その撓みが１ｃｍとなるようにカードの長い側を１分間につき３０回の割合で湾曲させて、計２５０回湾曲させる、
（３）コンタクトを表にして、その撓みが０．５ｃｍとなるようにカードの短い側を１分間につき３０回の割合で湾曲させ、合計２５０回湾曲させる、
（４）コンタクトを裏にして、その撓みが０．５ｃｍとなるようにカードの短い側を１分間につき３０回の割合で湾曲させ、合計２５０回湾曲させる、
（５）カードをその短い側にねじれを適用する機械の中に置き、交互の方向に最大変位が５°（±１°）となるように１分間につき３０回の割合でねじれを加え、合計１，０００回ねじれを加える、
の曲げ処置に耐える場合、前記液晶表示器が永久的な損傷を受けることなく、前記液晶表示器を支持する前記ＩＣカードを湾曲させることができるものであること）は、当業者にとって自明である。
　よって、相違点は格別のものではない。
　
　上記で検討したごとく、相違点は格別のものではなく、そして、本願発明の構成によってもたらされる効果も、当業者であれば当然に予測可能なものに過ぎず格別なものとは認められない。
　
　したがって、本願発明は引用発明及び周知の国際標準に基づいて容易に発明できたものである。
　 
（４）むすび 
　以上のとおり、本願の特許請求の範囲の請求項２に係る発明は、本願の特許出願前に日本国内又は外国において頒布された刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　よって、結論のとおり審決する。